(57)【要約】  【課題】  投影方向を横向きから上向きに簡単に転換でき、その仕組みを紛失する恐れもないプロジェクタを提供する。  【解決手段】  投影レンズ１１の前方にミラー１３を出現させ、投影光の方向を天井方向に転換する。ミラー１３はスライドベース１４に角度可変に取り付けられる。筐体１０には投影レンズ１１の下の位置にポケット部１２が形成され、スライドベース１４とミラー１３の連結体はこのポケット部１２に入れられて、筐体１０の輪郭内への収納及び輪郭外への引き出しが可能である。ミラー１３にはその角度を検知する角度センサ１５が付属する。筐体１０には傾斜度センサ２４が設けられる。画像発生装置２３は角度センサ１５の検知したミラー１３の角度と傾斜度センサ２４の検知した筐体１０の傾斜度に応じて画像補正を行う。【選択図】      図２
2006047595.tif 000002
【特許請求の範囲】
【請求項１】
画像発生装置の発生した画像を横向きの投影レンズにより投影するプロジェクタにおい
て、
前記投影レンズの前方に出現して投影光の方向を天井方向に転換するミラーを設け、こ
のミラーをスライドベースに角度可変に取り付け、このスライドベースとミラーの連結体
を、プロジェクタ筐体の前記投影レンズの下の位置に、筐体輪郭内への収納及び筐体輪郭
外への引き出しが可能なる如く装着し、且つ前記ミラーにはその角度を検知する角度セン
サを付属させ、前記画像発生装置は、前記角度センサの検知したミラー角度に応じて投影
画像に必要な補正を施すものであるとともに、前記筐体の傾斜度を検知する傾斜度センサ
が設けられ、この傾斜度センサの検知した筐体の傾斜度が画像補正パラメータとして用い
られることを特徴とするプロジェクタ。
【請求項２】
画像発生装置の発生した画像を横向きの投影レンズにより投影するプロジェクタにおい
て、
前記投影レンズの前方に出現して投影光の方向を天井方向に転換するミラーを設け、こ
のミラーにはその角度を検知する角度センサを付属させ、前記画像発生装置は、前記角度
センサの検知したミラー角度に応じて投影画像に必要な補正を施すものであることを特徴
とするプロジェクタ。
【請求項３】
前記ミラーをスライドベースに角度可変に取り付け、このスライドベースとミラーの連
結体を、プロジェクタ筐体の前記投影レンズの下の位置に、筐体輪郭内への収納及び筐体
輪郭外への引き出しが可能なる如く装着することを特徴とする請求項２に記載のプロジェ
クタ。
【請求項４】
前記筐体の傾斜度を検知する傾斜度センサを備え、この傾斜度センサの検知した筐体の
傾斜度が画像補正パラメータとして用いられることを特徴とする請求項２又は３に記載の
プロジェクタ。
【発明の詳細な説明】
【技術分野】
【０００１】
本発明は画像を投影するプロジェクタに関する。
【背景技術】
【０００２】
プレゼンテーションをしたり、家庭で映像ソフトを鑑賞するといった目的で、プロジェ
クタが頻繁に利用されるようになっている。通常の場合、プロジェクタは横向きの投影レ
ンズよりスクリーンや壁などの垂直面に画像を投影する。しかしながら時として、画像を
天井面に投影したい場合がある。例えば、プラネタリウムのように星空の像を映し出した
いときとか、リラックスして寝そべった姿勢で画像を見たいときなどである。病気や怪我
で体を起こせないときにも、天井面で画像を見られる仕組みがあると便利である。
【０００３】
天井面に画像を投影するというのは、単純に考えれば、プロジェクタを上向きにすれば
済むことである。しかしながら、プロジェクタはランプ部が非常に高温になり、多量の熱
を発生している。この熱の放熱のため、部品の配置や冷却空気の流通経路に様々な工夫が
施されているが、その工夫はあくまでもプロジェクタの姿勢が横向きであるという構成を
前提になされており、プロジェクタの姿勢を上向きに変えるとその前提が崩れてしまう。
その結果、十分な冷却がなされなくなり、故障につながりかねない。
【０００４】
特許文献１には、プロジェクタの姿勢そのものは変えずに投影方向を９０゜変換する仕
組みが開示されている。すなわち特許文献１に記載されたプロジェクタでは横向き状態の
投影レンズに方向転換光学ユニットを装着して天井面に投影できるようになっている。
【特許文献１】特開平６−２７３６９５号公報（第５頁、図８、９）
【発明の開示】
【発明が解決しようとする課題】
【０００５】
特許文献１に記載されたプロジェクタの方向転換光学ユニットは、コンバータレンズに
ミラーを組み合わせたものであり、高価である。また投影光の光軸方向におけるミラーの
反射角度が固定されており、この方向に関する投影位置の調整が難しい。さらに、方向転
換光学ユニットはプロジェクタ本体とは別に保管しなければならず、保管に手間がかかる
うえ、紛失の恐れもある。
【０００６】
本発明は上記の点に鑑みなされたものであり、投影方向を横向きから上向きに簡単に転
換でき、その仕組みを紛失する恐れもないプロジェクタを提供することを目的とする。ま
た、天井面に投影することとした場合に良好な投影画像を得ることができるプロジェクタ
を提供することを目的とする。
【課題を解決するための手段】
【０００７】
上記目的を達成するために、請求項１の発明は、画像発生装置の発生した画像を横向き
の投影レンズにより投影するプロジェクタにおいて、前記投影レンズの前方に出現して投
影光の方向を天井方向に転換するミラーを設け、このミラーをスライドベースに角度可変
に取り付け、このスライドベースとミラーの連結体を、プロジェクタ筐体の前記投影レン
ズの下の位置に、筐体輪郭内への収納及び筐体輪郭外への引き出しが可能なる如く装着し
、且つ前記ミラーにはその角度を検知する角度センサを付属させ、前記画像発生装置は、
前記角度センサの検知したミラー角度に応じて投影画像に必要な補正を施すものであると
ともに、前記筐体の傾斜度を検知する傾斜度センサが設けられ、この傾斜度センサの検知
した筐体の傾斜度が画像補正パラメータとして用いられることとしたプロジェクタを提供
する。
【０００８】
この構成によれば、投影レンズの前方に出現するミラーで投影光の方向を天井方向に転
換することにより、容易に天井面への投影を行うことができる。プロジェクタの姿勢その
ものは変わらないので、設計通りの冷却効果を維持できる。画像発生装置は角度センサの
検知したミラー角度に応じて投影画像に補正を施すものであるから、投影光が真上に向か
わず、角度がずれたとしても、それによる画像の歪みを補正して、見やすい画像を提供で
きる。
【０００９】
また、ミラーは通常はプロジェクタ筐体の輪郭内に収納され、必要なときだけ引き出し
て使用されるものであるから、使用しないときに邪魔にならず、紛失の恐れもない。
【００１０】
また、筐体が水平でない台の上に置かれた場合でも画像の補正を常に正しく行うことが
できる。
【００１１】
請求項２の発明は、画像発生装置の発生した画像を横向きの投影レンズにより投影する
プロジェクタにおいて、前記投影レンズの前方に出現して投影光の方向を天井方向に転換
するミラーを設け、このミラーにはその角度を検知する角度センサを付属させ、前記画像
発生装置は、前記角度センサの検知したミラー角度に応じて投影画像に必要な補正を施す
ものであることとしたプロジェクタを提供する。
【００１２】
この構成によれば、投影レンズの前方に出現するミラーで投影光の方向を天井方向に転
換することにより、容易に天井面への投影を行うことができる。プロジェクタの姿勢その
ものは変わらないので、設計通りの冷却効果を維持できる。画像発生装置は角度センサの
検知したミラー角度に応じて投影画像に補正を施すものであるから、投影光が真上に向か
わず、角度がずれたとしても、それによる画像の歪みを補正して、見やすい画像を提供で
きる。
【００１３】
請求項３の発明では、請求項２のプロジェクタにおいて、前記ミラーをスライドベース
に角度可変に取り付け、このスライドベースとミラーの連結体を、プロジェクタ筐体の前
記投影レンズの下の位置に、筐体輪郭内への収納及び筐体輪郭外への引き出しが可能なる
如く装着する。
【００１４】
この構成によれば、ミラーは通常はプロジェクタ筐体の輪郭内に収納され、必要なとき
だけ引き出して使用されるものであるから、使用しないときに邪魔にならず、紛失の恐れ
もない。
【００１５】
請求項４の発明では、請求項２又は３のプロジェクタにおいて、前記筐体の傾斜度を検
知する傾斜度センサを備え、この傾斜度センサの検知した筐体の傾斜度が画像補正パラメ
ータとして用いられるものとする。
【００１６】
この構成によれば、筐体が水平でない台の上に置かれた場合でも画像の補正を常に正し
く行うことができる。
【発明の効果】
【００１７】
以上のように本発明によれば、横向きの投影レンズの前方に出現するミラーにより投影
光の方向を天井方向に転換して天井面への投影を行うことができるから、プロジェクタの
利用範囲を広げることができる。しかもこのミラーには角度センサが付属しており、ミラ
ー角度に応じて画像発生装置が画像を補正するので、見やすい画像を確保できる。またミ
ラーはスライドベースに連結されてプロジェクタ筐体の輪郭内に収納され、必要に応じ引
き出されるものであるから、収納場所に困ることもなく、紛失を懸念することもない。さ
らに、ミラー角度に加え、筐体の傾斜度も画像補正のパラメータとして用いられるから、
プロジェクタの設置の傾斜度を気にかけずに済む。
【発明を実施するための最良の形態】
【００１８】
以下、添付図面を参照しつつ本発明の実施形態を説明する。図１、２はプロジェクタの
外観斜視図で、異なる使用態様を示すもの、図３は回路ブロック図、図４、５は使用状況
説明図である。
【００１９】
プロジェクタ１は略直方体形状の筐体１０を有する。筐体１０は光源を含む光路構成要
素を内蔵するものであり、光路の末端をなす横向きの投影レンズ１１が筐体１０の正面に
設けられている。投影レンズ１１はスクリーンや壁などの垂直面に対し投影を行うもので
ある。
【００２０】
筐体１０には、投影レンズ１１の下の位置にポケット部１２が形成されている。ポケッ
ト部１２にはミラー１３を角度可変に取り付けたスライドベース１４が収納される。スラ
イドベース１４とミラー１３の連結体は筐体１０に対しスライド可能であり、図１に示す
ようにミラー１３がポケット部１２に完全に収納された状態、すなわちミラー１３が筐体
１０の輪郭内に完全に収納された状態から、図２のようにミラー１３の全体とスライドベ
ース１４の一部がポケット部１２から出た状態まで、引き出すことができる。筐体１０と
スライドベース１４の間には図示しないスライド量規制装置が設けられており、スライド
ベース１４を図２に示す状態以上に引き出すことはできない。
【００２１】
ミラー１３の先端には、反射面と反対の方向に突き出す指掛け部１３ａが形成されてい
る。図１の状態から指掛け部１３ａに指を掛け、ミラー１３を引き出すことができる。図
２の位置まで引き出したところでミラー１３を引き起こせば、その反射面が投影レンズ１
１に向き合うことになる。すなわちミラー１３の角度を変えることによりミラー１３を投
影レンズ１１の前方に出現させることができる。ミラー１３から手を離してもミラー１３
が角度を保っているよう、ミラー１３とスライドベース１４とは角度維持機能のあるヒン
ジ部で連結する。
【００２２】
ミラー１３には角度センサ１５が付属する。角度センサ１５はミラー１３とスライドベ
ース１４の連結部に配置され、スライドベース１４に対するミラー１３の角度を検知する
ものである。ポケット部１２の一側には角度センサ１５を収容するための拡大部１２ａが
設けられている。
【００２３】
図３に回路のブロック構成を示す。２０は商用電源、２１は電源回路、２２は光源部、
２３は光源からの光を透過させる液晶パネルの駆動回路を含む画像発生装置である。画像
発生装置２３には角度センサ１５及び筐体１０に設けた図示しない傾斜度センサ２４が接
続され、角度及び傾斜度のデータが画像発生装置２３に取り込まれるようになっている。
【００２４】
上記の図に加え、図４、５を参照しつつプロジェクタ１の使用方法につき説明する。図
４、５において、３０は内部で投影が行われる部屋を示し、３１はプロジェクタ１を据え
る台を示す。
【００２５】
スクリーンや壁面のような垂直面に投影を行う場合には、図４のように、台３１の上に
プロジェクタ１を据えたうえで前方に投影光を出す。筐体１０の前部下面に設けられたね
じ式の調整脚１６により、筐体１０の角度を調整する。この時ミラー１３は図１のように
筐体１０に収納されたままである。
【００２６】
天井面に投影を行う場合は、図５のようにミラー１３を引き出し、さらにミラー１３を
引き起こして投影レンズ１１の前に出現させる。これにより、前方のスクリーン又は壁に
写っていた映像が天井面に写ることになる。ミラー１３で投影光を反射させるため、画像
発生装置２３は画像反転の処理を行う。同時に、角度センサ１５の検知したミラー角度に
応じて台形補正などの補正も実行される。
【００２７】
角度センサ１５はスライドベース１４に対するミラー１３の角度、言い換えれば筐体１
０に対するミラー１３の角度を検知するものであり、天井面に対するミラー１３の角度を
検知するものではない。筐体１０が傾いていた場合には、角度センサ１５からのデータだ
けに基づき画像補正を行ったのでは筐体１０と天井面の角度関係にマッチしない補正が行
われることになる。そこで画像発生装置２３は、角度センサ１５の検知データだけでなく
、傾斜度センサ２４の検知した筐体１０の傾斜度も画像補正パラメータとして用い、画像
補正を行う。これにより、歪みのない画像が天井面に映し出されることになる。
【００２８】
本実施形態では、筐体１０にポケット部１２を形成し、その中にミラー１３とスライド
ベース１４の連結体を収納したが、ポケット部に代え、筐体１０の下面にレールを取り付
け、このレールに沿ってスライドベース１４がスライドする仕組みにしてもよい。
【００２９】
また本実施形態では収納状態のミラー１３は筐体１０の輪郭の外に出ないものとしたが
、ミラー１３の先端が筐体輪郭の外に少々突き出す程度のことは許容されるものである。
【００３０】
以上本発明の実施形態につき説明したが、発明の主旨を逸脱しない範囲でさらに種々
の変更を加えて実施することができる。
【産業上の利用可能性】
【００３１】
本発明は、プロジェクタ全般に利用可能である。
【図面の簡単な説明】
【００３２】
【図１】本発明に係るプロジェクタの外観斜視図
【図２】図１と異なる使用態様を示すプロジェクタの外観斜視図
【図３】回路ブロック図
【図４】使用状況説明図
【図５】図４と異なる使用状況説明図
【符号の説明】
【００３３】
１    プロジェクタ
１０  筐体
１１  投影レンズ
１２  ポケット部
１３  ミラー
１４  スライドベース
１５  角度センサ
２３  画像発生装置
２４  傾斜度センサ
【図１】
2006047595.tif 000003
【図２】
2006047595.tif 000004
【図３】
2006047595.tif 000005
【図４】
2006047595.tif 000006
【図５】
2006047595.tif 000007